(57)【要約】【課題】サムターンやシリンダー錠の他に非常解錠操作用の操作手段を別途用意する必要がない扉用ロックハンドル装置を提供する。【解決手段】サムターン９の回転軸１０とシリンダー錠１１の回転軸１２が接続された副ロック軸１３の側面部より駆動アーム１４が突出し、駆動アーム１４の先端部を中継リンク１８に枢軸１９で枢着し、中継リンク１８の先端部を円弧状溝２０に通した連結軸２１によって操作レバー１６に連結し、デッドボルト８の内側端部２２に係合する押し当て部２３を操作レバー１６に形成し、阻止壁部２６が牽引アーム７の先端部側面２７に係合して牽引アーム７の解錠方向への回転を阻止する規制レバー２５を設け、規制レバー２５を遊動スロット２９に通した連結軸３０でソレノイドユニット１８のプランジャー３１に連結し、操作レバー１６の回転によって規制レバー２５を規制解除位置に回転させる。【選択図】　図６
2004132128.tif 000002
【特許請求の範囲】
【請求項１】
内側ハンドル１の回転軸２と外側ハンドル３の回転軸４がケース５に支持された主ロック軸６に接続され、主ロック軸６の側面部より突出した牽引アーム７の回転によってデッドボルト８が施錠位置または解錠位置に牽引され、サムターン９の回転軸１０とシリンダー錠１１の回転軸１２がケース５に支持された副ロック軸１３に接続され、副ロック軸１３の側面部より駆動アーム１４が突出し、ケース５に枢軸１５によって操作レバー１６が枢着され、ケース５にソレノイドユニット１７が固着され、駆動アーム１４の先端部を中継リンク１８の基端部に枢軸１９によって枢着し、中継リンク１８の先端部を操作レバー１６の一方端部の円弧状溝２０に通した連結軸２１によって操作レバー１６に連結し、サムターン９またはシリンダー錠１１を施錠方向に操作したとき、デッドボルト８の内側端部２２に係合する押し当て部２３を操作レバー１６の他方端部に形成し、デッドボルト８が施錠位置にあるとき、一方端部の阻止壁部２６が牽引アーム７の先端部側面２７に係合して牽引アーム７の解錠方向への回転を阻止する規制レバー２５を前記枢軸１５によってケース５に枢着し、規制レバー２５の他方端部２８を遊動スロット２９に通した連結軸３０によってソレノイドユニット１８のプランジャー３１に連結し、ソレノイドユニット１８への通電によって阻止壁部２６が牽引アーム７の先端部側面２７の回転軌跡外に出た規制解除位置へと規制レバー２５を回転させる一方、操作レバー１６の一部を規制レバー２５の一部に係合させ、操作レバー１６の回転によって規制レバー２５を前記規制解除位置に回転させるようにした扉用ロックハンドル装置。
【発明の詳細な説明】
【０００１】
【発明の属する技術分野】本発明は、扉の内外両側に配備されたハンドルの操作によって主ロック軸が回転し、主ロック軸より突出した牽引アームによってデッドボルトが施錠位置または解錠位置に駆動される扉用ロックハンドル装置に関するものである。
【０００２】
【従来の技術】モータ錠やソレノイド錠などの電気錠をケース内に配備し、デッドボルトが施錠位置にあるとき、外部からの制御信号を送ることによって、デッドボルトそれ自体またはデッドボルトの駆動機構を施錠状態に拘束することは、従来から行われている（例えば、特許文献１参照）。
【０００３】
このような電気錠を組み込んでいる扉用ロックハンドル装置において問題となるのは、電気錠の電気回路や構成部品の故障あるいは停電によって電気錠が作動不能になったときには、電気信号によって扉が開放できないことになり、作業員等が部屋内部に閉じ込められたり、逆に入室しなければならない部屋に即時に入室できないことである。
【０００４】
【特許文献１】特許第２８８３６１０号公報
【０００５】
【発明が解決しようとする課題】本発明の課題は、電気錠の故障や停電時に扉の内外から簡単に非常解錠操作できるとともに、サムターンやシリンダー錠の他には、非常解錠操作のための操作手段を別途配備する必要がない扉用ロックハンドル装置を提供することである。
【０００６】
【課題を解決するための手段】以下、添付図面中の参照符号を用いて説明すると、本発明の扉用ロックハンドル装置では、内側ハンドル１の回転軸２と外側ハンドル３の回転軸４がケース５に支持された主ロック軸６に接続され、主ロック軸６の側面部より突出した牽引アーム７の回転によってデッドボルト８が施錠位置または解錠位置に牽引され、サムターン９の回転軸１０とシリンダー錠１１の回転軸１２がケース５に支持された副ロック軸１３に接続され、副ロック軸１３の側面部より駆動アーム１４が突出し、ケース５に枢軸１５によって操作レバー１６が枢着され、ケース５にソレノイドユニット１７が固着され、駆動アーム１４の先端部を中継リンク１８の基端部に枢軸１９によって枢着し、中継リンク１８の先端部を操作レバー１６の一方端部の円弧状溝２０に通した連結軸２１によって操作レバー１６に連結し、サムターン９またはシリンダー錠１１を施錠方向に操作したとき、デッドボルト８の内側端部２２に係合する押し当て部２３を操作レバー１６の他方端部に形成する。
【０００７】
デッドボルト８が施錠位置にあるとき、一方端部の阻止壁部２６が牽引アーム７の先端部側面２７に係合して牽引アーム７の解錠方向への回転を阻止する規制レバー２５を前記枢軸１５によってケース５に枢着し、規制レバー２５の他方端部２８を遊動スロット２９に通した連結軸３０によってソレノイドユニット１８のプランジャー３１に連結し、ソレノイドユニット１８への通電によって阻止壁部２６が牽引アーム７の先端部側面２７の回転軌跡外に出た規制解除位置へと規制レバー２５を回転させる一方、操作レバー１６の一部を規制レバー２５の一部に係合させ、操作レバー１６の回転によって規制レバー２５を前記規制解除位置に回転させる。
【０００８】
【発明の作用】本発明の扉用ハンドル装置では、図１及び図４に示したようにデッドボルト８はケース５の右側に突出し、機器ボックス本体や建物の開口部側枠に設置したストライカ（図示していない）に係合している。
施錠状態では図４に示したように駆動アーム１４、中継リンク１８及び操作レバー１６は最下降位置にあり、連結軸２１は円弧状溝２０の最上部にあり、操作レバー１６の押し当て部２３はデッドボルト８の内側端部２２から大きく離反した位置にあり、ソレノイドユニット１８のプランジャー３１は所定位置まで突出した位置にあり、規制レバー２５は阻止壁部２６が牽引アーム７の先端部側面２７の回転軌跡内にある位置にバネ手段３２によって保持されている。
【０００９】
この扉用ロックハンドル装置の解錠作動を外部制御部からの電気信号によって行うときには、ソレノイドユニット１８に通電してプランジャー３１をユニット側に引き込み作動させ、規制レバー２５の阻止壁部２６が牽引アーム７の先端部側面２７の回転軌跡外である規制解除位置に来るように、枢軸１５を中心として規制レバー２５を時計回り方向にバネ手段３２の付勢に抗して回転させる。
このように電気錠を解錠動作した後、内側ハンドル１の回転軸２または外側ハンドル３の回転軸４を回すことによって、主ロック軸６が解錠方向、すなわち図４において時計回り方向に回転させられ、牽引アーム７の駆動によってデッドボルト８が解錠位置へとケース５側に引き込まれることになる。
これによって扉３３は内側ハンドル１または外側ハンドル３を手前に引くことによって、開放される。
【００１０】
ソレノイドユニット１８と規制レバー２５よりなる電気錠が故障していたり、電気回路に停電が発生した状態において、扉用ロックハンドル装置を解錠するときには、扉３３の内側からサムターン９の回転軸１０を回すことによって、または、扉３３の外側からシリンダー錠１１に所定のキーを挿入して回転軸１２を回すことによって、副ロック軸１３を解錠方向、すなわち図４において時計回り方向に回転させる。
【００１１】
副ロック軸１３の回転と一体に駆動アーム１４が同方向に回転するため、中継リンク１８を介して操作レバー１６が枢軸１５を中心に時計回り方向に駆動される。この操作レバー１６に押されて規制レバー２５がバネ手段３２に抗して枢軸１５を中心にして時計回り方向に回転させられる。
この回転動作によって、規制レバー２５の阻止壁部２６が牽引アーム７の先端部側面２７の回転軌跡外である規制解除位置に来るため、牽引アーム７の回転拘束が解除される。
【００１２】
そのため、内側ハンドル１または外側ハンドル３を回すことによって、主ロック軸６が解錠方向に回転させられ、牽引アーム７の駆動によってデッドボルト８が解錠位置へとケース５側に引き込まれる。
これによって扉３３は内側ハンドル１または外側ハンドル３を手前に引くことによって、開放される。
【００１３】
【発明の実施の形態】図示の実施例では、操作レバー２３の押し当て部２３がデッドボルト８に非係合である待機位置において駆動アーム１４を停止させるためのバネ手段２４をケース５に配備してある。
このバネ手段２４は、バネ支持棒３４に嵌合された圧縮コイルバネであり、バネ支持棒３４の先端部はケース４に固着したバネ受け板３５の透孔３６に挿通され、バネ支持棒３４の拡大頭部３７を横断した連結軸３８は、駆動アーム１４の一方端部の周面に形成した受溝５２に係合している。
図４に示したように連結軸３８が枢軸１９と透孔３６を結ぶ直線に関してその下側にあるときには、バネ手段２４の弾性反発力は、駆動アーム１４を反時計回り方向に付勢する力として作用しており、駆動アーム１４はケース５に固着したストッパーピン３９と係合することによって、当該待機位置に保持されている。
【００１４】
駆動アーム１４がサムターン９などの手動操作によって図４において時計回りに回されたとき、この回転途中で連結軸３８が枢軸１９と透孔３６を結ぶ直線を上側に越える。その瞬間にバネ手段２４の作用方向は逆転し、駆動アーム１４は解錠方向に勢い良く回転させられる。このトグルジョイントバネ構成によって、サムターン８やシリンダー錠１１による解施錠操作が節動的になされ、解施錠が操作者に明確に認識される。
【００１５】
牽引アーム７の基端部のバネ受けピン４０とケース５側のバネ受けピン４１には、捻りコイルバネよりなるトグルジョイントバネ４２の各直線端部が枢着されており、主ロック軸６の回転が節動的になされ、内側ハンドル１または外側ハンドル３による解施錠が操作者に明確に認識される。
【００１６】
規制レバー２５の付勢用バネ手段３２は捻りコイルバネによって構成され、そのコイル部はケース５に固着したバネ受けピン５３に嵌められ、一方の直線部はケース５側のバネ受け部４３に当接し、他方の直線部は規制レバー２５の下面部に当接している。規制実施位置において、規制レバー２５の先端部はケース５側の停止ピン５４に係合している。
【００１７】
規制レバー２５の阻止壁部２６には横向き突起部５６が形成されており、牽引アーム７の先端部側面２７には、爪突起５５が形成されている。内側ハンドル１又は外側ハンドル３を無理やり回そうとするとき、その回転力は、横向き突起部５６と爪突起５５を深く噛み合わせる力として作用し、強引な解錠操作が阻止される。
【００１８】
ケース５には、駆動アーム１４が待機位置にあることを検出する検知スイッチ４４、規制レバー２５が規制実施位置にあることを検出する検知スイッチ４５、牽引アーム７が施錠位置にあることを検出する検知スイッチ４６が配備されており、これらの検知スイッチはマイクロスイッチによって構成されている。
これらの検知スイッチからの検出信号は外部の制御部に送られ、扉用ロックハンドルスイッチがどのような状態にあるかを管理者に知らせ、所要の対策処理を行うためのデータとして利用される。
【００１９】
ケース５は内側部分５ａと外側部分５ｂとに分割して構成され、外側部分５ｂに一体形成した螺子筒部５８に内側部分５ａの透孔５７からビス４７を捻じ込むことによって、ケース５が扉３３に締め付け固着されている。外側ハンドル３の回転軸４は扉３３を貫通し、シリンダー錠１１は大半が扉３３に埋め込み装着されている。シリンダー錠１１には蓋板４８が連結軸４９によって装着されている。
牽引アーム７の先端部には駆動ピン５０が腹面に突設され、デッドボルト８の端部には駆動ピン５０が係合するＴ字状の受動孔５１が形成されている。
【００２０】
【発明の効果】本発明の扉用ロックハンドル装置では、サムターン９の回転軸１０とシリンダー錠１１の回転軸１２が副ロック軸１３に接続され、副ロック軸１３より突出した駆動アーム１４の先端部を中継リンク１８の基端部に枢軸１９によって枢着し、中継リンク１８の先端部を操作レバー１６の円弧状溝２０に通した連結軸２１によって操作レバー１６に連結し、デッドボルト８の内側端部２２に係合する押し当て部２３を操作レバー１６に形成し、阻止壁部２６が牽引アーム７の先端部側面２７に係合する規制レバー２５を前記枢軸１５によってケース５に枢着し、規制レバー２５を遊動スロット２９に通した連結軸３０によってソレノイドユニット１８のプランジャー３１に連結し、操作レバー１６の回転によって規制レバー２５を押し、阻止壁部２６が牽引アーム７の先端部側面２７の回転軌跡外に出た規制解除位置へと回転させるようにしたので、電気錠の故障や停電時に扉３３の内外から簡単に非常解錠操作できるとともに、サムターン９とシリンダー錠１１以外には、非常解錠操作のための操作手段を別途配備する必要がなく、扉３３やケース５の表面構成をシンプルなレイアウトにすることができる。
【図面の簡単な説明】
【図１】本発明の一実施例に係る扉用ロックハンドル装置の施錠状態における正面図である。
【図２】図１の扉用ロックハンドル装置の底面図である。
【図３】図１のＡ−Ａ線断面図である。
【図４】図３のＢ−Ｂ線断面図である。
【図５】ソレノイドユニットと検知スイッチの配置関係を示す側面図である。
【図６】施錠状態における駆動アーム、中継リンク、操作レバー、規制レバー及びソレノイドユニットの配置関係を示す拡大図である。
【符号の説明】
１　内側ハンドル
２　内側ハンドルの回転軸
３　外側ハンドル
４　外側ハンドルの回転軸
５　ケース
６　主ロック軸
７　牽引アーム
８　デッドボルト
９　サムターン
１０　サムターンの回転軸
１１　シリンダー錠
１２　シリンダー錠の回転軸
１３　副ロック軸
１４　駆動アーム
１５　枢軸
１６　操作レバー
１７　ソレノイドユニット
１８　中継リンク
１９　枢軸
２０　円弧状溝
２１　連結軸
２２　デッドボルトの内側端部
２３　操作レバーの押し当て部
２４　バネ手段
２５　規制レバー
２６　規制レバーの阻止壁部
２７　牽引アームの先端部側面
２８　規制レバーの他方端部
２９　遊動スロット
３０　連結軸
３１　ソレノイドユニットのプランジャー
３２　バネ手段
【図１】
2004132128.tif 000003
【図２】
2004132128.tif 000004
【図３】
2004132128.tif 000005
【図４】
2004132128.tif 000006
【図５】
2004132128.tif 000007
【図６】
2004132128.tif 000008